(57)【要約】【課題】所望の倍率で実際の撮影範囲の外の広い範囲において、動きのある遠距離にある被写体を容易に確認して追跡可能とするとともに、実際の撮影時には、撮影者が予め設定しておいた所望の相対倍率に、光学的にズームアップさせて撮影することで、動きのある遠距離にある被写体を光学的に拡大して優れた映像を容易に撮影可能にすること。【解決手段】設定される相対倍率値を記憶部１１０に記憶させておき、撮影用シャッタボタン１０９により撮像指示がなされた際に、記憶部１１０に設定される相対倍率値に応じた距離だけ画像入力部１０６内の撮影レンズを受像部１０２から遠ざけるように移動させて光学的に撮像画像を拡大させるズームイン動作を行い、該ズームイン動作完了直後に、受像部１０２に受像させ、該受像直後に、前記撮影レンズを前記ズームイン動作前の状態に戻すズームアウト動作を行うようにＣＰＵ１０１が制御する構成を特徴とする。【選択図】図１
2006019852.tif 000002
【特許請求の範囲】
【請求項１】
撮影レンズと、前記撮影レンズから入光される被写体像を受像し撮像するための撮像手段と、前記撮像手段による撮像を指示する撮像指示手段と、前記撮影レンズにより前記撮像手段に結像される被写体像を光学的に拡大又は縮小させるように前記撮影レンズを動力により移動可能なレンズズーム手段とを有する撮像装置において、
設定されるズーム倍率値を記憶する記憶手段と、
前記記憶手段に記憶されるズーム倍率値に応じた距離だけ前記撮影レンズを前記撮像手段から遠ざけるように移動させるズームイン動作を行わせるように前記レンズズーム手段を制御する制御手段と、
を有することを特徴とする撮像装置。
【請求項２】
前記制御手段は、前記撮像指示手段による撮像指示がなされた際に、前記ズームイン動作を行わせ、該ズームイン動作完了後、前記撮像手段に撮像させるように制御することを特徴とする請求項１記載の撮像装置。
【請求項３】
前記制御手段は、前記ズームイン動作後の撮像後に、前記撮影レンズを前記ズームイン動作前の状態に戻すズームアウト動作を行うように前記レンズズーム手段を制御することを特徴とする請求項２記載の撮像装置。
【請求項４】
前記撮像指示手段は、第１〜３の状態を含む複数の状態に変化可能であり、
前記制御手段は、前記撮像指示手段が第１の状態から第２の状態へ変化した際に、前記レンズズーム手段にズームイン動作を行わせ、前記撮像指示手段が第２の状態から第３の状態へ変化した際に、前記撮像手段に撮像させ、前記撮像指示手段が第３の状態から第１の状態へ変化した際に、前記撮影レンズを前記ズームイン動作前の状態に戻すズームアウト動作を行うように前記レンズズーム手段を制御することを特徴とする請求項１記載の撮像装置。
【請求項５】
前記レンズズーム手段によるズームインを指示するズームイン指示手段と、前記レンズズーム手段によるズームアウトを指示するズームアウト指示手段とを備え、
前記制御手段は、前記ズームイン指示手段によりズームイン指示がなされた際に、前記レンズズーム手段にズームイン動作を行わせ、前記ズームアウト指示手段によりズームアウト指示がなされた際に、前記撮影レンズを前記ズームイン動作前の状態に戻すズームアウト動作を行うように前記レンズズーム手段を制御することを特徴とする請求項１記載の撮像装置。
【請求項６】
画像表示可能な画像表示手段を備えて前記撮影レンズから入光される被写体像と前記画像表示手段に表示される画像との合成画像を視覚確認するための被写体確認手段を備え、
前記制御手段は、前記記憶手段に記憶されるズーム倍率値に応じた前記ズームイン動作後の撮像領域を示す画像を前記画像表示手段に表示させるように制御することを特徴とする請求項１〜５のいずれかに記載の撮像装置。
【請求項７】
前記ズーム倍率値を設定する設定手段を有し、
前記制御手段は、前記設定手段により前記ズーム倍率値が変更されたことに応じて、該変更されたズーム倍率値に応じた前記ズームイン動作後の撮像領域を示す画像を前記画像表示手段に表示させるように制御することを特徴とする請求項６記載の撮像装置。
【請求項８】
前記撮像手段は、前記撮影レンズから入光される被写体像を撮像する撮像素子、又は、銀塩フィルムと前記撮影レンズから入光される被写体像を前記銀塩フィルムに入光又は遮断するシャッタ手段とで構成される銀塩撮像手段であり、
前記被写体確認手段は、前記撮像手段の撮像時外に前記撮影レンズから入光されて前記画像表示手段を透過する被写体像を視覚可能なファインダ手段とを備えることを特徴とする請求項６又は７記載の撮像装置。
【請求項９】
前記撮像手段は、前記撮影レンズから入光される被写体像を撮像する撮像素子であり、
前記制御手段は、前記記憶手段に記憶されるズーム倍率値に応じた前記ズームイン動作後の撮像領域を示す画像と前記撮像素子に結像される被写体像との合成画像を前記画像表示手段に表示させるように制御することを特徴とする請求項６又は７記載の撮像装置。
【請求項１０】
撮影レンズと、前記撮影レンズから入光される被写体像を受像し撮像するための撮像手段と、前記撮像手段による撮像を指示する撮像指示手段と、前記撮像手段に結像される被写体像を光学的に拡大又は縮小させるように前記撮影レンズを移動させるレンズズーム手段とを有する撮像装置におけるズーム撮像方法において、
設定されるズーム倍率値を記憶手段に設定する設定ステップと、
前記撮像指示手段による撮像指示がなされた際に、前記記憶手段に設定されるズーム倍率値に応じた距離だけ前記撮影レンズを前記撮像手段から遠ざけるように移動させるズームイン動作を前記レンズズーム手段に行わせるズームインステップと、
前記ズームインステップによるズームイン動作完了後、前記撮像手段に撮像させる撮像ステップと、
前記撮像ステップ後に、前記撮影レンズを前記ズームインステップによるズームイン動作前の状態に戻すズームアウト動作を前記レンズズーム手段に行わせるズームアウトステップと、
を有することを特徴とするズーム撮像方法。
【請求項１１】
撮影レンズと、前記撮影レンズから入光される被写体像を受像し撮像するための撮像手段と、第１〜３の状態を含む複数の状態に変化可能であり前記撮像手段による撮像を指示可能な撮像指示手段と、前記撮像手段に結像される被写体像を光学的に拡大又は縮小させるように前記撮影レンズを移動させるレンズズーム手段とを有する撮像装置におけるズーム撮像方法において、
設定されるズーム倍率値を記憶手段に設定する設定ステップと、
前記撮像指示手段が第１の状態から第２の状態へ変化した際に、前記記憶手段に設定されるズーム倍率値に応じた距離だけ前記撮影レンズを前記撮像手段から遠ざけるように移動させるズームイン動作を前記レンズズーム手段に行わせるズームインステップと、
前記撮像指示手段が第２の状態から第３の状態へ変化した際に、前記撮像手段に撮像させる撮像ステップと、
前記撮像指示手段が第３の状態から第１の状態へ変化した際に、前記ズームインされた状態から前記ズームイン前の状態に戻すズームアウト処理を前記レンズズーム手段に行わせるズームアウトステップと、
を有することを特徴とするズーム撮像方法。
【請求項１２】
請求項１０又は１１に記載されたズーム撮像方法を実行するためのプログラム。
【発明の詳細な説明】
【技術分野】
【０００１】
本発明は、銀塩カメラ，デジタルカメラ等の静止画を撮影可能な撮像装置およびズーム撮影方法およびプログラムに関する。
【背景技術】
【０００２】
一眼レフなどの実像式ズームファインダのカメラにおいて、動きのある遠距離にある被写体、例えばサッカーのスポーツ選手を試合中に撮影する場合、ズームレンズを用いて望遠撮影するケースがあるが、大きくズームアップされた動きのある被写体をカメラで追うのは非常に困難であり、さまざまな撮影技術が提案されている。
【０００３】
通常、撮影者の技術として、望遠状態をある程度ズームアウトした撮影を行う方法（方法１）や、両目を用いて、ファインダを覗いている目とは逆の目で全体像を把握し、ファインダを覗いた目と意識的に切り替えたり、両目の像を重ねて撮影する方法（方法２）や、ズームアウトした状態で被写体を追い、撮影する瞬間に手動でズームインさせて撮影する方法（方法３）等の手法がある。
【０００４】
上記方法１では、大きく拡大した映像を撮ることを避けた手法であり、大きく拡大された映像を撮影することは出来ない。また、上記方法２では、撮影者の熟練度が必要であると共に、望遠サイズが大きいほど、熟練者でも撮影が困難となる。さらに、方法３では、手動でズームインする為の撮影時間の遅延と手動で行うが為の手ぶれによる被写体追従の乱れ、及び撮影時の映像の乱れが懸念され、撮影者の熟練が必要となる。
【０００５】
このように、従来では、熟練が必要な撮影技術を駆使して、撮影を行っていたため、熟練した技術を持っていない一般のユーザでは、上述したような大きくズームアップされた動きのある被写体を撮影することは、非常に困難であった。
【０００６】
なお、上述したような熟練技術を必要としない方法として、特許文献１が提案されている。
【０００７】
特許文献１では、ある程度の全体像を受像し撮影者の視線による被写体の追従と電子ズームによるフレーム移動とフレーム内を電子ズーム撮影する方法が提案されている。
【特許文献１】特開平５−１３０４７７号公報
【発明の開示】
【発明が解決しようとする課題】
【０００８】
しかしながら、特許文献１の方法では、デジタル信号処理回路や動き検出回路、画像拡大補間回路等、画像認識による被写体追尾装置が必要であり、該装置を追加する為に、カメラ自体の製造コストが高くなってしまうという問題点があった。
【０００９】
また、特許文献１に記載される視線入力による被写体のクローズアップは、撮影者が意図するより広範囲の被写体をデジタル撮影し、該デジタル撮影された画像をデジタル処理してクローズアップさせるものであるため、クローズアップされた画像の画素が粗くなってしまい、本来の機器の画質（画素）性能を最大限に発揮できない等の問題点があった。
【００１０】
さらに、特許文献１の方法では、デジタルカメラにおける撮影方法であり、銀塩カメラに適用することができないという問題点があった。
【００１１】
本発明は、上記の問題点を解決するためになされたもので、本発明の目的は、設定される相対倍率値を記憶手段に記憶させておき、撮影用シャッタボタンにより撮像指示がなされた際に、前記記憶手段に設定される相対倍率値に応じた距離だけ撮影レンズを撮像手段から遠ざけるように移動させて光学的に撮像画像を拡大させるズームイン動作を行い、該ズームイン動作完了直後に、撮像手段に撮像させ、該撮像直後に、前記撮影レンズを前記ズームイン動作前の状態に戻すズームアウト動作を行うように撮像装置の動作を制御することにより、撮影者の所望の倍率で実際の撮影範囲の外の広い範囲において、動きのある遠距離にある被写体を容易に確認して追跡可能とするとともに、実際の撮影時には、撮影者が予め設定しておいた所望の相対倍率に、光学的にズームアップさせて撮影することで、熟練した撮影技術を有しない一般の撮影者であっても、動きのある遠距離にある被写体を光学的に拡大して優れた映像を容易に撮影することができる銀塩カメラ，デジタルカメラのいずれにも適用可能な撮像装置およびズーム撮像方法およびプログラムを提供することである。
【課題を解決するための手段】
【００１２】
本発明は、撮影レンズと、前記撮影レンズから入光される被写体像を撮像するための撮像手段と、前記撮像手段による撮像を指示する撮像指示手段と、前記撮影レンズにより前記撮像手段に結像される被写体像を光学的に拡大又は縮小させるように前記撮影レンズを動力により移動可能なレンズズーム手段とを有する撮像装置において、設定される相対倍率値を記憶する記憶手段と、前記記憶手段に記憶される相対倍率値に応じた距離だけ前記撮影レンズを前記撮像手段から遠ざけるように移動させるズームイン動作を行わせるように前記レンズズーム手段を制御する制御手段とを有することを特徴とする。
【発明の効果】
【００１３】
本発明によれば、撮影者の所望の倍率で実際の撮影範囲の外の広い範囲において、動きのある遠距離にある被写体を容易に確認して追跡可能とするとともに、実際の撮影時には、撮影者が予め設定しておいた所望の相対倍率に、光学的にズームアップさせて撮影するので、熟練した撮影技術を有しない一般の撮影者であっても、動きのある遠距離にある被写体を光学的に拡大して優れた映像を容易に撮影することができ、銀塩カメラ，デジタルカメラのいずれにも適用可能である。
【００１４】
また、撮影指示に連動させて、撮影者が予め設定しておいた所望の相対倍率にズームインさせるので、撮影者の意図したタイミングで、意図した相対倍率にズームインして撮影することができ、ズームイン操作等に手間取る等により、シャッタチャンスを逃してしまうことを防止することができる。
【００１５】
さらに、撮影終了と共に元の倍率までズームアウトするので、ズームイン撮影後に、被写体を見失ってしてしまい、次のシャッタチャンスを逃してしまう等の撮影ミスを抑えることができる。
【００１６】
また、ズームイン指示に連動させて撮影者が予め設定しておいた所望の相対倍率にズームインさせ、撮影指示に連動させて撮影動作を行うため、撮影者の意図したタイミングで、意図した相対倍率にズームインし、意図したタイミングで撮影することができ、ズームイン操作等に手間取る等により、シャッタチャンスを逃してしまうことを防止することができる。
【００１７】
さらに、ズームアウト指示に連動させて、元の倍率までズームアウトするので、撮影者の意図したタイミングまで、ズームインした状態を維持できるので、ズームインした状態で連像撮影等を行うこともできる。
【００１８】
さらに、被写体とともに実際の撮影領域を確認可能とするので、撮影時のズームアップ後の実際の撮影範囲に被写体を容易に収めることができ、ズームアップ時に被写体を逃して撮影してしまう等の撮影ミスの発生を抑えることができる。
【００１９】
また、ズームアップ時の相対倍率（現在の倍率に対する相対倍率）の設定を、被写体と重ねて実際の撮影領域で視覚確認しながら行うことができるので、ズームアップ時の相対倍率を撮影者の意図した相対倍率に容易に設定することができ、結果として被写体を捕らえるため、所望の倍率を確認するため等の無駄なズームアウト／ズームイン操作を防止し、撮影者の意識を被写体の追跡やシャッタ操作のみに集中させることができる。
【００２０】
従って、望遠撮影を行う際に、動きのある遠距離にある被写体であっても容易に追跡することができるとともに、撮影指示とズーム動作を連動させて、動きのある遠距離にある被写体であっても容易に光学的に拡大された優れた映像を撮影することができる等の効果を奏する。
【発明を実施するための最良の形態】
【００２１】
〔第１実施形態〕
図１は、本発明に係る第１実施形態の一例を示す撮像装置を適用可能なスチルカメラの内部構成の一例を示すブロック図である。
【００２２】
図１において、１００はスチルカメラである。このスチルカメラ１００は、ＣＰＵ１０１と、受像部１０２、被写体確認部１０４、レンズズーム部１０５、画像入力部（レンズ等）１０６、操作部１０７、記憶部１１０、ＲＯＭ１１１等を備えている。
【００２３】
画像入力部１０６は、変倍レンズやフォーカスレンズ等の複数の撮像レンズから構成された光学系であり、レンズズーム部１０５の変倍動作又は撮影者による手動変倍操作等により、後述する図４に示すように、レンズ位置を移動させて、入力倍率を光学的に変更可能である。
【００２４】
レンズズーム部１０５は、内部に図示しないモータ等を備えており、拡大ズームや縮小ズームの指示をＣＰＵ１０１から伝えられると、該拡大ズームや縮小ズームの指示に応じてモータを駆動し、後述する図４に示すように、画像入力部１０６内のレンズ等を移動させてレンズ焦点距離を変更させる変倍動作を行うことにより、画像入力部１０６による入力倍率を光学的に変更させる。
【００２５】
受像部１０２は、画像入力部１０６を透過した映像光を受像して撮像するためのものである。なお、受像部１０２は、ＣＣＤセンサ、ＣＭＯＳセンサ、又は、銀塩フィルムとシャッタで構成される受像部等のいずれであってもよいが、以下、ＣＣＤセンサを例として説明する。
【００２６】
画像入力部１０６を透過した映像光は、後段の撮像素子である受像部１０２上のＣＣＤセンサ面上で結像され、光電変換により映像信号に変換される。なお、ＣＣＤセンサより光電変換された映像信号を、Ａ／Ｄ変換してデジタル画像データに変換し、該デジタル画像データを色差と輝度に分けて各種処理、補正及び画像圧縮／伸長を行う図示しない画像処理部を備えるものとする。この画像処理部は、受像部１０２がＣＭＯＳセンサの場合も（即ち、スチルカメラ１００がデジタルカメラの場合には）、同様に備えるものとする。
【００２７】
次に、被写体確認部１０４は、画像入力部１０６を透過し、受像部１０２に受像されるべき映像光（即ち、撮影画像）を確認（視覚確認（視認））するためのものである。この被写体確認部１０４は、ファインダ（のぞきレンズ），ペンタプリズム，ミラー等により構成されるもの（後述する図３に示す）、又はディスプレイにより構成されるものである。なお、上述した受像部１０２がＣＣＤセンサ，ＣＭＯＳセンサ等のデジタルカメラの場合は、この被写体確認部１０４は、ファインダ等により構成されるもの，ディスプレイにより構成されるもののいずれの構成であってもよいが（双方を備える構成であってもよい）、受像部１０２が銀塩ファイルムの場合には、被写体確認部１０４はファインダ等で構成されるものとする。以下、被写体確認部１０４が、ファインダ等で構成される場合を例として説明する。
【００２８】
操作部１０７は、スチル撮影にかかる機能設定や操作を行うための各種ボタン（モード入力用ボタン１０３、相対倍率入力用ダイヤル１０８、撮影用シャッタボタン１０９）やスイッチを有している。
【００２９】
モード入力用ボタン１０３は、撮影モードの変更をおこなうためのものである。相対倍率入力用ダイヤル１０８は、「＋」方向、「−」方向に回転可能なダイヤル式の操作部であり、後述する図５，図６に示す相対的なズーム倍率（相対倍率値３０２）を設定するためのものである。撮影用シャッタボタン１０９は、ボタンを押していない「開放」状態の他に、「半押し」状態と「全押し」状態の２段階の状態があり、これらの操作に応じて予備露光や本露光、レンズズーム部１０５のズームイン/ズームアウト等の指示をＣＰＵ１０１に伝える。
【００３０】
ＲＯＭ１１１は、ＣＰＵ１０１が動作するための図９〜図１３のフローチャートに示すプログラムを含む各種プログラム等を格納している。記憶部１１０は、スチルカメラ１００の各種設定を記憶したり、ＣＰＵ１０１のワークエリアとして使用可能である。
【００３１】
ＣＰＵ１０１は、ＲＯＭ１１１又は図示しないその他の記録媒体に格納される各種プログラムを記憶部１１０のワーク領域にロードして実行することによりカメラ動作全体を制御する。
【００３２】
図２は、図１に示したスチルカメラ１００の外観の一例を示す斜視図であり、図１と同一のものには同一の符号を付してある。
【００３３】
図３は、図１に示したスチルカメラ１００の概略構成の一例を示す断面図であり、図１と同一のものには同一の符号を付してある。
【００３４】
図３（ａ）に示すように、画像入力部１０６から入力された光は、カメラ本体内部に設けられ４５度に傾いたミラーで反射されて、被写体確認部１０４で確認可能となる（ミラー上方のＬＣＤ１１２，ペンタプリズムを介して、ファインダ１０４に導かれる）。
【００３５】
そして、撮影用シャッタボタン１０９が押下（全押し）されると、図３（ｂ）に示すように、先ず、４５度に置かれていたミラーが上方へ跳ね上がり、その後、受像部１０２の直前にあるシャッタが開けられる。これにより、画像入力部１０６から入力された光が、受像部１０２に受像される（撮影される）。
【００３６】
なお、被写体確認部１０４内に設けられたＬＣＤ１１２は、ミラーで反射された光がファインダに到達するまでの光路中であれば何処に設置されてもよく、図３に示した位置（ミラーとペンタプリズムの間）でなくとも、ペンタプリズムとファインダとの間等に設けられてもよい。
【００３７】
また、このＬＣＤ１１２は、描画されていない状態では、画像入力部１０６から入力された光を透過させて被写体画像をファインダから視覚可能とするものである。さらに、このＬＣＤ１１２は、ＣＰＵ１０１からの表示制御により、後述する図５，図６に示す撮影フレーム２０２を表示するものであり、ファインダから覗くユーザは、図５，図６に示すような撮影フレーム２０２を被写体画像上に認識することができる仕組みになっている。このとき、記憶部１１０の一部は、被写体確認部１０４のＬＣＤ１１２で表示するための表示データをビット展開するメモリとして使用される。
【００３８】
なお、被写体確認部１０４が、ファインダ等による構成ではなく、ディスプレイによる構成の場合には、上述したＬＣＤ１１２の機能（撮影フレーム２０２の表示機能）は該ディスプレイで兼用させ、ＣＰＵ１０１が該ディスプレイ上に、受像部１０２で受像されて画像処理された被写体の画像情報と図５，図６に示す撮影フレーム２０２とを合成して表示させるように制御するものとする。
【００３９】
図４は、図１に示したレンズズーム部１０５による画像入力部１０６の変倍動作とレンズ焦点距離の関係を説明する模式図であり、図１と同一のものには同一の符号を付してある。
【００４０】
図４（ａ），（ｂ），（ｃ）において、Ｌ１，Ｌ２，Ｌ３は、それぞれレンズ焦点距離を示し、画像入力部１０６の最も被写体側のレンズから受像部１０２までの距離に対応する。
【００４１】
レンズ焦点距離Ｌ１，Ｌ２，Ｌ３は、Ｌ１＜Ｌ２＜Ｌ３となっており、（ａ），（ｂ），（ｃ）の順で、撮影倍率が高くなる。
【００４２】
このように、レンズズーム部１０５は、画像入力部１０６内のレンズ等を移動させてレンズ焦点距離を変更させることにより、撮影倍率を変更させることができる。
【００４３】
以下、図５，図６を参照して、本発明の撮像装置におけるスポーツ望遠スチル撮影モードについて説明する。
【００４４】
まず、本発明の撮像装置におけるスポーツ望遠スチル撮影モードについて説明する。スポーツ望遠スチル撮影モードとは、ユーザから撮影が指示されると、これに連動して、予め設定された相対倍率値に基づいて画像入力部１０６を光学的にズームインさせて、ズームアップした被写体を撮影する撮影モードである。
【００４５】
これにより、撮影者は、撮影指示直前まで、ズームアップされないため、動きのある遠距離にある被写体を広い視野で容易に追跡できるとともに、撮影指示に連動させて光学的にズームアップして撮影することで、熟練した撮影技術を有しない一般の撮影者であっても、動きのある遠距離にある被写体を光学的に拡大した優れた映像を容易に撮影（撮像）することができるようになる。以下、図５，図６を用いてより詳細に説明する。
【００４６】
図５，図６は、本発明の撮像装置におけるスポーツ望遠スチル撮影モードにおいて受像部１０２に受像された撮影イメージと撮影前の被写体確認部１０４にて確認可能なイメージを示す模式図である。なお、図５は相対倍率値が大きい場合に対応し、図６は相対倍率値が小さい場合に対応するものであり、同一のものには同一の符号を付してある。
【００４７】
図５，図６に示すように、本実施形態のスポーツ望遠スチル撮影モードでは、撮影者は、撮影前（シャッタボタンを「全押し」する前）、被写体確認部１０４にてイメージ２０１を確認可能である。このように、撮影指示直前まで、被写体がズームアップされないため、動きのある遠距離にある被写体を広い視野で容易に追跡できる。
【００４８】
このとき、イメージ２０１内には、撮影フレーム２０２が視覚されが、この撮影フレーム２０２は、設定される相対倍率値３０２に基づいてＬＣＤ１１２上に表示されるものであり、この撮影フレーム２０２が示す範囲の画像が、撮影時にズームアップされて撮影される画像２０３に対応する。この撮影フレーム２０２により、撮影時のズームアップ後の撮影範囲に被写体を容易に収めることができる。
【００４９】
なお、本実施形態のスポーツ望遠スチル撮影モードでは、画像入力部１０６内のレンズ等が光学的にズームするので、シャッタが開けられる直前は、被写体確認部１０４から撮影時と同じズーム画像２０３が確認可能となる。
【００５０】
図７は、図１に示した記憶部１１０のメモリマップの一例を示す模式図である。
【００５１】
図７に示すように、記憶部１１０には、不揮発性メモリ３００とＲＡＭ３１０から構成されている。
【００５２】
不揮発性メモリ３００には、後述する撮影フレーム座標情報３０１、図５，図６に示した相対倍率値３０２、撮影モード等を示すモード３０３が記憶されている。また、ＲＡＭ３１０は、ＣＰＵ１０１がワーク領域として使用可能な領域である。
【００５３】
図８は、図７に示した記憶部１１０に設定された相対倍率値３０２と撮影時のレンズ焦点距離の関係を示す図である。
【００５４】
なお、ここでは、例えば、焦点距離を７５ｍｍ〜３００ｍｍの間で変更可能な望遠レンズ（画像入力部１０６，レンズズーム部１０５から構成される）を用いて、撮影前の焦点距離が「２００ｍｍ」であった場合を例にして説明する。
【００５５】
相対倍率値３０２が「０」に設定されている場合、撮影時のズーム移動は行われず、焦点距離「２００ｍｍ」で撮影されることになる。
【００５６】
次に、相対倍率値３０２が「１０」に設定されている場合、撮影時のレンズ焦点距離が「＋１００ｍｍ」ズームインし、レンズ焦点距離「３００ｍｍ」で撮影されることになる。
【００５７】
また、撮影前の焦点距離が最大の「３００ｍｍ」であった場合には、相対倍率値３０２が「０」以外に設定されている場合であっても、それ以上ズームすることは出来ないので、撮影時のズーム移動は行われず、焦点距離「３００ｍｍ」で撮影されることになる。その場合、被写体確認部１０４で確認可能な撮影フレーム２０２（図５，図６）は、レンズズーム部１０５による撮影前時点でのレンズ焦点距離の移動に伴い、サイズの変更を行うようにＣＰＵ１０１により制御される。即ち、レンズ移動が行われない設定の場合は、撮影フレーム２０２を被写体確認部１０４で認識される画像イメージ２０１と同じサイズに拡大するようにする。
【００５８】
また、レンズ焦点距離を元の「２００ｍｍ」に戻した場合、撮影フレーム２０２は、相対倍率値３０２に応じた焦点距離のサイズを示すことになる。例えば、相対倍率値３０２が「１０」に設定されている場合、「３００ｍｍ」の焦点距離のサイズを示すことになる。なお、上記の関係する数値は、一例であって、必ずしもこの比率である必要は無い。
【００５９】
以下、図９，図１０のフローチャートを参照して、本発明の撮像装置における制御動作について説明する。
【００６０】
図９は、本発明の撮像装置における第１の制御処理動作の一例を示すフローチャートであり、相対倍率入力用ダイヤル１０８が操作された場合の制御処理動作に対応する。なお、このフローチャートの処理は、図１に示したＣＰＵ１０１がＲＯＭ１１１又は図示しないその他の記録媒体に格納されたプログラムを記憶部１１０上のワークエリアにロードして実行することにより実現される。また、図中、Ｓ１０１〜Ｓ１０６は各ステップを示す。
【００６１】
まず、モード３０３がスポーツ望遠スチル撮影モードとなっている状態で、相対倍率入力イベントが発生すると、ＣＰＵ１０１は図９のフローチャートの処理を開始する。ステップＳ１０１において、ＣＰＵ１０１は、相対倍率入力用ダイヤル１０８が「＋」方向に回されたか否かを判定し、入力用ダイヤル１０８が「＋」方向に回されたと判定した場合には、ステップＳ１０３に処理を進める。
【００６２】
ステップＳ１０３において、ＣＰＵ１０１は、図７に示した記憶部１１０内に設定（記憶）される相対倍率設定値３０２の値に「１」を加算した値を新たな相対倍率設定値３０２として記憶部１１０に設定し、ステップＳ１０３の処理に進む。
【００６３】
一方、ステップＳ１０１で、ＣＰＵ１０１が、相対倍率入力用ダイヤル１０８が「＋」方向に回されていないと判定した場合には、ステップＳ１０２の処理に進み、ＣＰＵ１０１は、相対倍率入力用ダイヤル１０８が「−」方向に回されたか否かを判定する。
【００６４】
ステップＳ１０２において、ＣＰＵ１０１が、相対倍率入力用ダイヤル１０８が「−」方向に回されたと判定した場合には、ステップＳ１０４の処理に進み、ＣＰＵ１０１は、図７に示した記憶部１１０内に設定される相対倍率設定値３０２の値から「１」を減算した値を新たな相対倍率設定値３０２として記憶部１１０に設定し、ステップＳ１０５の処理に進む。
【００６５】
一方、ステップＳ１０２で、ＣＰＵ１０１が、相対倍率入力用ダイヤル１０８が「−」方向に回されていないと判定した場合には、そのままステップＳ１０５の処理に進む。
【００６６】
次に、ステップＳ１０５において、ＣＰＵ１０１は、図７に示した記憶部１１０に設定される相対倍率設定値３０２に基づいて、新たに被写体確認部１０４上に表示される画像２０１中の撮影フレーム２０２の座標を算出し、記憶部１１０の撮影フレーム座標情報３０１として記憶させる。
【００６７】
次に、ステップＳ１０６において、ＣＰＵ１０１は、ステップＳ１０５で算出した撮影フレーム２０２の座標（撮影フレーム座標情報３０１）に基づいて、被写体確認部１０４上に撮影フレーム２０２を表示するように制御し、処理を終了する。
【００６８】
なお、図９のフローチャートには示していないが、上記ステップＳ１０５において、撮影フレーム２０２の座標を算出する際、相対倍率値３０２に基づく撮影時のレンズ焦点距離が最大焦点距離を越えてしまい、相対倍率値３０２までズームさせることができないと判定した場合には、現在のレンズの焦点距離と該レンズの最大焦点距離から実際にズーム可能な相対倍率値を算出し、該算出した相対倍率に基づいて、撮影フレーム２０２の座標を算出するように制御するものとする。
【００６９】
また、このように撮影フレーム２０２の座標が算出された状態で、撮影者により現在のレンズの焦点距離が変動された際には、再度、撮影フレーム２０２の座標を算出し、再表示するように制御するものとする。
【００７０】
さらに、フローチャートには示していないが、電源が投入されてモード３０３がスポーツ望遠スチル撮影モードとなっている場合や、モード３０３がスポーツ望遠スチル撮影モードでない状態からスポーツ望遠スチル撮影モードに変更された場合には、ＣＰＵ１０１は、図７に示した撮影フレーム座標情報３０１を記憶部１１０から読み出して、該撮影フレーム座標情報３０１に基づく撮影フレーム２０２を被写体確認部１０４上に表示するように制御するものとする。
【００７１】
図１０は、本発明の撮像装置における第２の制御処理動作の一例を示すフローチャートであり、撮影用シャッタボタン１０９が操作された場合の制御処理（第１の撮影処理）動作に対応する。なお、このフローチャートの処理は、図１に示したＣＰＵ１０１がＲＯＭ１１１又は図示しないその他の記録媒体に格納されたプログラムを記憶部１１０上のワークエリアにロードして実行することにより実現される。また、図中、Ｓ３０１〜Ｓ３０４は各ステップを示す。
【００７２】
まず、モード３０３がスポーツ望遠スチル撮影モードとなっている状態で、撮影用シャッタボタン入力イベントが発生すると、ＣＰＵ１０１は図１０のフローチャートの処理を開始する。ステップＳ３０１において、ＣＰＵ１０１は、撮影用シャッタボタン１０９の状態変化が「半押し」状態から「全押し」状態への変化であるか否かを判定し、「半押し」状態から「全押し」状態への変化でないと判定した場合には、そのまま処理を終了する。なお、図示しない所定の処理（例えば、予備露光等の処理）を行った後に処理を終了するように構成してもよい。
【００７３】
一方、ステップＳ３０１で、ＣＰＵ１０１が、撮影用シャッタボタン１０９の状態変化が「半押し」状態から「全押し」状態への変化であると判定した場合には、ステップＳ３０２において、ＣＰＵ１０１は、記憶部１１０から相対倍率値３０２を読み出して、該読み出した相対倍率値３０２に基づくズーム量分（図８に示した撮影時のレンズ焦点距離）だけ、画像入力部１０６内のレンズを受像部１０２から遠ざけるように移動させてズームインさせるようにレンズズーム部１０５に指示を出すように制御する。なお、相対倍率値３０２に基づく撮影時のレンズ焦点距離が最大焦点距離を越える場合には、最大焦点距離までズームさせるように制御する。
【００７４】
次に、ステップＳ３０３において、ＣＰＵ１０１は、画像入力部１０６から入力される映像を受像部１０２に受像させて撮像するように制御する。
【００７５】
次に、ステップＳ３０４において、ＣＰＵ１０１は、相対倍率値３０２に基づくズーム量分（図８に示した撮影時のレンズ焦点距離）だけ、画像入力部１０６内のレンズを受像部１０２に近づけるように移動させてズームアウトさせるようにレンズズーム部１０５に指示を出すように制御し、処理を終了する。なお、ステップＳ３０２で、相対倍率値３０２に基づく撮影時のレンズ焦点距離が最大焦点距離を越えてしまい、最大焦点距離までしかズームさせることができなかった場合には、ステップＳ３０４では、ステップＳ３０２でのズーム前の焦点距離までズームアウトさせるように制御する。
【００７６】
以上説明したように、撮影用シャッタボタン１０９により撮影が指示されるまでズームインさせることなく撮影者の所望の倍率で、実際の撮影範囲の外の広い範囲において、動きのある遠距離にある被写体を容易に確認して追跡可能とするとともに、撮影用シャッタボタン１０９による撮影指示に連動させて、撮影者が予め設定しておいた所望の相対倍率に、画像入力部１０６を光学的にズームアップさせて撮影することにより、熟練した撮影技術を有しない一般の撮影者であっても、動きのある遠距離にある被写体を光学的に拡大して優れた映像を容易に撮影（撮像）することができ、銀塩カメラ，デジタルカメラのいずれにも適用可能である。
【００７７】
また、撮影用シャッタボタン１０９による撮影指示に連動させて、撮影者が予め設定しておいた所望の相対倍率にズームインさせるため、撮影者の意図したタイミングで、意図した相対倍率にズームインして撮影することができ、ズームイン操作等に手間取る等により、シャッタチャンスを逃してしまうことを防止することができる。
【００７８】
さらに、被写体確認部１０４から被写体とともに撮影フレーム２０２を確認可能とすることにより、撮影時のズームアップ後の実際の撮影範囲に被写体を容易に収めることができ、ズームアップ時に被写体を逃して撮影してしまう等の撮影ミスの発生を抑えることができる。
【００７９】
また、ズームアップ時の相対倍率（現在の倍率に対する相対倍率）の設定を、撮影フレーム２０２により確認しながら行うことができるので、ズームアップ時の相対倍率を撮影者の意図した相対倍率に容易に設定することができる。
【００８０】
従って、被写体を捕らえるため、所望の倍率を確認するため等の無駄なズームアウト／ズームイン操作を防止し、撮影者の意識を被写体の追跡やシャッタ操作のみに集中させることができる。
【００８１】
また、撮影終了と共に元の倍率までズームアウトする（ワイド側倍率まで戻す）ように制御するため、ズームイン撮影後に、被写体を見失ってしてしまい、次のシャッタチャンスを逃してしまう等の撮影ミスを抑えることができる。
【００８２】
〔第２実施形態〕
上記第１実施形態では、撮影用シャッタボタン１０９による撮影指示がなされた場合に、相対倍率値３０２に基づくズーム量分だけ画像入力部１０６をズームインさせ、画像入力部１０６から入力される映像を受像部１０２に受像（撮像）させ、相対倍率値３０２に基づくズーム量分だけ画像入力部１０６をズームアウトさせるように、ズームイン、撮像、ズームアウトの一連の動作として行わせる構成について説明したが、撮影用シャッタボタン１０９の状態変化に応じて、上記ズームイン動作、撮像動作、ズームアウト動作をそれぞれ個別に行うように構成してもよい。以下、その実施形態について説明する。
【００８３】
以下、図１１のフローチャートを参照して、本発明の第２実施形態を示す撮像装置における制御動作について説明する。
【００８４】
図１１は、本発明の撮像装置における第３の制御処理動作の一例を示すフローチャートであり、撮影用シャッタボタン１０９が操作された場合の制御処理（第２の撮影処理）動作に対応する。なお、このフローチャートの処理は、図１に示したＣＰＵ１０１がＲＯＭ１１１又は図示しないその他の記録媒体に格納されたプログラムを記憶部１１０上のワークエリアにロードして実行することにより実現される。また、図中、Ｓ４０１〜Ｓ４０６は各ステップを示す。
【００８５】
まず、モード３０３がスポーツ望遠スチル撮影モードとなっている状態で、撮影用シャッタボタン入力イベントが発生すると、ＣＰＵ１０１は図１１のフローチャートの処理を開始する。ステップＳ４０１において、ＣＰＵ１０１は、撮影用シャッタボタン１０９の状態変化が「開放」状態から「半押し」状態への変化であるか否かを判定し、「開放」状態から「半押し」状態への変化であると判定した場合には、ステップＳ４０２において、ＣＰＵ１０１は、記憶部１１０から相対倍率値３０２を読み出して、該読み出した相対倍率値３０２に基づくズーム量分（図８に示した撮影時のレンズ焦点距離）だけ、画像入力部１０６内のレンズを受像部１０２から遠ざけるように移動させてズームインさせるようにズームレンズ部１０５に指示を出すように制御し、処理を終了する。なお、相対倍率値３０２に基づく撮影時のレンズ焦点距離が最大焦点距離を越える場合には、最大焦点距離までズームさせるように制御する。また、ズームイン後に、図示しない所定の処理（例えば、予備露光等の処理）を行ってもよい。
【００８６】
一方、ステップＳ４０１で、ＣＰＵ１０１は、撮影用シャッタボタン１０９の状態変化が「開放」状態から「半押し」状態への変化でないと判定した場合には、ステップＳ４０３において、ＣＰＵ１０１は、撮影用シャッタボタン１０９の状態変化が「半押し」状態から「全押し」状態への変化であるか否かを判定する。
【００８７】
ステップＳ４０３で、ＣＰＵ１０１は、撮影用シャッタボタン１０９の状態変化が「半押し」状態から「全押し」状態への変化であると判定した場合には、ステップＳ４０４において、ＣＰＵ１０１は、画像入力部１０６から入力される映像を受像部１０２に受像させて撮像するように制御し、処理を終了する。
【００８８】
一方、ステップＳ４０３で、ＣＰＵ１０１が、撮影用シャッタボタン１０９の状態変化が「半押し」状態から「全押し」状態への変化でないと判定した場合には、ステップＳ４０５において、ＣＰＵ１０１は、撮影用シャッタボタン１０９の状態変化が「半押し」状態から「開放」状態への変化であるか否かを判定する。
【００８９】
ステップＳ４０５で、ＣＰＵ１０１が、撮影用シャッタボタン１０９の状態変化が「半押し」状態から「開放」状態への変化であると判定した場合には、ステップＳ４０６において、ＣＰＵ１０１は、相対倍率値３０２に基づくズーム量分（図８に示した撮影時のレンズ焦点距離）だけ、画像入力部１０６内のレンズを受像部１０２に近づけるように移動させてズームアウトさせるようにレンズズーム部１０５に指示を出すように制御し、処理を終了する。なお、ステップＳ４０４で、相対倍率値３０２に基づく撮影時のレンズ焦点距離が最大焦点距離を越えてしまい、最大焦点距離までしかズームさせることができなかった場合には、ステップＳ４０６では、ステップＳ４０４でのズーム前の焦点距離までズームアウトさせるように制御する。
【００９０】
一方、ステップＳ４０５で、ＣＰＵ１０１が、撮影用シャッタボタン１０９の状態変化が「半押し」状態から「開放」状態への変化でないと判定した場合には、そのまま処理を終了する。
【００９１】
以上説明したように、撮影用シャッタボタン１０９によるズームイン指示（「開放」から「半押し」への状態変化）に連動させて、撮影者が予め設定しておいた所望の相対倍率に、画像入力部１０６を光学的にズームインさせるので、ズームイン指示までは撮影者の所望の倍率で、実際の撮影範囲の外の広い範囲において、動きのある遠距離にある被写体を容易に確認して追跡可能とするとともに、撮影用シャッタボタン１０９による撮影指示（「半押し」から「全押し」への状態変化）に連動させて撮影させることにより、熟練した撮影技術を有しない一般の撮影者であっても、動きのある遠距離にある被写体を光学的に拡大して優れた映像を容易に撮影（撮像）することができ、銀塩カメラ，デジタルカメラのいずれにも適用可能である。
【００９２】
また、撮影用シャッタボタン１０９によるズームイン指示に連動させて撮影者が予め設定しておいた所望の相対倍率にズームインさせ、撮影用シャッタボタン１０９による撮影指示に連動させて撮影動作を行うため、撮影者の意図したタイミングで、意図した相対倍率にズームインし、意図したタイミングで撮影することができ、ズームイン操作等に手間取る等により、シャッタチャンスを逃してしまうことを防止することができる。
【００９３】
さらに、被写体確認部１０４から被写体とともに撮影フレーム２０２を確認可能とすることにより、撮影時のズームアップ後の実際の撮影範囲に被写体を容易に収めることができ、ズームアップ時に被写体を逃して撮影してしまう等の撮影ミスの発生を抑えることができる。
【００９４】
また、ズームアップ時の相対倍率（現在の倍率に対する相対倍率）の設定を、撮影フレーム２０２により確認しながら行うことができるので、ズームアップ時の相対倍率を撮影者の意図した相対倍率に容易に設定することができる。
【００９５】
従って、被写体を捕らえるため、所望の倍率を確認するため等の無駄なズームアウト／ズームイン操作を防止し、撮影者の意識を被写体の追跡やシャッタ操作のみに集中させることができる。
【００９６】
また、撮影用シャッタボタン１０９によるズームアウト指示（「半押し」から「開放」への状態変化）に連動させて、元の倍率までズームアウトする（ワイド側倍率まで戻す）ように制御するため、撮影者の意図したタイミングまで、ズームインした状態を維持できるので、ズームインした状態で連像撮影等を行うこともできる。
【００９７】
〔第３実施形態〕
上記第１実施形態では、撮影用シャッタボタン１０９の状態変化に応じて、ズームイン動作、撮像動作、ズームアウト動作の一連の動作を行わせる構成について説明し、また、上記第２実施形態では、撮影用シャッタボタン１０９の状態変化に応じて、上記ズームイン動作、撮像動作、ズームアウト動作をそれぞれ個別に行う構成について説明したが、ズームイン動作、撮像動作、ズームアウト動作の一連の動作を行う第１のスポーツ望遠スチル撮影モードと、ズームイン動作、撮像動作、ズームアウト動作をそれぞれ個別に行う第２のスポーツ望遠スチル撮影モードを設け、モード切替により、選択可能に構成してもよい。以下、その実施形態について説明する。
【００９８】
以下、図１２，図１３のフローチャートを参照して、本発明の第３実施形態における撮像装置の制御動作について説明する。
【００９９】
図１２は、本発明の撮像装置における第４の制御処理動作の一例を示すフローチャートであり、モード入力用ボタン１０３が押下された場合の制御処理動作に対応する。なお、このフローチャートの処理は、図１に示したＣＰＵ１０１がＲＯＭ１１１又は図示しないその他の記録媒体に格納されたプログラムを記憶部１１０上のワークエリアにロードして実行することにより実現される。また、図中、Ｓ２０１〜Ｓ２０５は各ステップを示す。
【０１００】
まず、モード入力イベントが発生すると、ＣＰＵ１０１は図１２のフローチャートの処理を開始する。ステップＳ２０１において、ＣＰＵ１０１は、記憶部１１０に記憶されるモード３０３を読み出して、モード３０３が「０」であるか否かを判定し、「０」であると判定した場合には、ステップＳ２０２において、モード３０３に「１」を設定し、処理を終了する。
【０１０１】
一方、ステップＳ２０１で、ＣＰＵ１０１が、モード３０３が「０」でないと判定した場合には、ステップＳ２０３において、ＣＰＵ１０１は、モード３０３が「１」であるか否かを判定し、「１」であると判定した場合には、ステップＳ２０５において、モード３０３に「２」を設定し、処理を終了する。
【０１０２】
一方、ステップＳ２０３で、ＣＰＵ１０１が、モード３０３が「１」でないと判定した場合には、ステップＳ２０４において、モード３０３に「０」を設定し、処理を終了する。
【０１０３】
図１３は、本発明の撮像装置における第５の制御処理動作の一例を示すフローチャートであり、撮影用シャッタボタン１０９が操作された場合の制御処理動作に対応する。なお、このフローチャートの処理は、図１に示したＣＰＵ１０１がＲＯＭ１１１又は図示しないその他の記録媒体に格納されたプログラムを記憶部１１０上のワークエリアにロードして実行することにより実現される。また、図中、Ｓ５０１〜Ｓ５０６は各ステップを示す。
【０１０４】
まず、撮影用シャッタボタン入力イベントが発生すると、ＣＰＵ１０１は図１３のフローチャートの処理を開始する。ステップＳ５０１において、ＣＰＵ１０１は、記憶部１１０に記憶されるモード３０３を読み出して、モード３０３が「１」であるか否かを判定し、モード３０３が「１」であると判定した場合には、第１のスポーツ望遠スチル撮影モードが設定されていると判定し、ステップＳ５０２において、第１の撮影処理（図１０に示したフローチャートの処理）を実行し、処理を終了する。
【０１０５】
一方、ステップＳ５０１で、ＣＰＵ１０１が、モード３０３が「１」でないと判定した場合には、ステップＳ５０３において、モード３０３が「２」であるか否かを判定し、モード３０３が「２」であると判定した場合には、第２のスポーツ望遠スチル撮影モードが設定されていると判定し、ステップＳ５０４において、第２の撮影処理（図１１に示したフローチャートの処理）を実行し、処理を終了する。
【０１０６】
一方、ステップＳ５０３で、ＣＰＵ１０１が、モード３０３が「２」でないと判定した場合には、第１，第２のいずれのスポーツ望遠スチル撮影モードも設定されていないと判定し、ステップＳ５０５において、ＣＰＵ１０１は、撮影用シャッタボタン１０９の状態変化が「半押し」状態から「全押し」状態への変化であるか否かを判定し、「半押し」状態から「全押し」状態への変化でないと判定した場合には、そのまま処理を終了する。なお、図示しない所定の処理（例えば、予備露光等の処理）を行った後に処理を終了するように構成してもよい。
【０１０７】
一方、ステップＳ５０５で、ＣＰＵ１０１が、撮影用シャッタボタン１０９の状態変化が「半押し」状態から「全押し」状態への変化であると判定した場合には、ステップＳ５０６において、ＣＰＵ１０１は、画像入力部１０６から入力される映像を受像部１０２に受像させるように、シャッタを開けるように制御し、処理を終了する。
【０１０８】
以上説明したように、本実施形態の撮像装置では、撮影用シャッタボタン１０９による撮影指示に応じて、ズームイン動作、撮像動作、ズームアウト動作の一連の動作を行う第１のスポーツ望遠スチル撮影モードと、撮影用シャッタボタン１０９の状態変化に応じて、ズームイン動作、撮像動作、ズームアウト動作をそれぞれ個別に行う第２のスポーツ望遠スチル撮影モードを設け、切り替えて使用可能としたので、熟練した撮影技術を有しない一般の撮影者であっても、動きのある遠距離にある被写体に対して、ズームイン，撮影，ズームアウトの一連の動作を繰り返しての撮影や、ズームイン後の連続撮影等を、容易に行うことができるフレキシブル且つ容易なズームイン撮影手段を提供することができ、銀塩カメラ，デジタルカメラのいずれにも適用可能である。
【０１０９】
〔第４実施形態〕
上記第１実施形態では、撮影時のズーム倍率を相対倍率として設定する構成について説明していたが、撮影時のズーム倍率を絶対値のズーム倍率として記憶しておいて、撮影時に記憶しておいた絶対値のズーム倍率で撮影するように構成してもよい。以下、その実施形態について説明する。
【０１１０】
以下、図１４のフローチャートを参照して、本発明の第４実施形態における撮像装置の制御動作について説明する。
【０１１１】
図１４は、本発明の撮像装置における第６の制御処理動作の一例を示すフローチャートであり、ズーム倍率値が絶対値で設定された場合の制御処理動作に対応する。なお、このフローチャートの処理は、図１に示したＣＰＵ１０１がＲＯＭ１１１又は図示しないその他の記録媒体に格納されたプログラムを記憶部１１０上のワークエリアにロードして実行することにより実行される。また、図中、Ｓ６０１〜Ｓ６０３は各ステップを示す。
【０１１２】
絶対値でズーム倍率を設定する場合は、まず、Ｓ６０１において人が予めズーム倍率を適切な倍率に設定する。設定方法は人が表示装置１０４を見ながらレンズズーム部１０５を移動させズームさせる方法や、表示装置１０４上に表示される撮影フレーム２０２を相対倍率入力用ダイヤル１０８を回すことにより図９と同様に設定する方法などがある。
【０１１３】
ステップＳ６０２で、ＣＰＵ１０１はズーム倍率記憶の指示をうけて、現在のズーム倍率（絶対値）を取得する。
【０１１４】
ステップＳ６０３で、ＣＰＵ１０１は取得したズーム倍率値（絶対値）を記憶部１１０に記憶させる。
【０１１５】
本実施形態での撮影時の動作は図１３に記載の通りだが、図７の相対倍率値３０２は、記憶部１１０に記憶されたズーム倍率値（絶対値）に対応する。
【０１１６】
図１５は、本発明の撮像装置における第７の制御処理動作の一例を示すフローチャートであり、本実施形態において撮影用シャッタボタン１０９が操作された場合の制御処理動作に対応する。なお、このフローチャートの処理は、図１に示したＣＰＵ１０１がＲＯＭ１１１又は図示しないその他の記録媒体に格納されたプログラムを記憶部１１０上のワークエリアにロードして実行することにより実行される。また、図中、Ｓ７０１〜Ｓ７０４は各ステップを示す。
【０１１７】
まず、モード３０３がスポーツ望遠スチル撮影モードとなっている状態で、撮影用シャッタボタン入力イベントが発生すると、ＣＰＵ１０１は図１０のフローチャートの処理を開始する。ステップＳ７０１において、ＣＰＵ１０１は、撮影用シャッタボタン１０９の状態変化が「半押し」状態から「全押し」状態への変化であるか否かを判定し、「半押し」状態から「全押し」状態への変化でないと判定した場合には、そのまま処理を終了する。なお、図示しない所定の処理（例えば、予備露光等の処理）を行った後に処理を終了するように構成してもよい。
【０１１８】
一方、ステップＳ７０１で、ＣＰＵ１０１が、撮影用シャッタボタン１０９の状態変化が「半押し」状態から「全押し」状態への変化であると判定した場合には、ステップＳ７０２において、ＣＰＵ１０１は、記憶部１１０からズーム倍率値（絶対値）を読み出して、該読み出したズーム倍率値（絶対値）に対応するレンズ焦点距離となるように、画像入力部１０６内のレンズを移動させるようにズームレンズ部１０５に指示を出すように制御する。なお、ステップＳ７０２のズーム動作前に、ズーム動作前のレンズ焦点距離を記憶部１１０のワーク領域に記憶しておくものとする。
【０１１９】
次に、ステップＳ７０３において、ＣＰＵ１０１は、画像入力部１０６から入力される映像を受像部１０２に受像させて撮像するように制御する。
【０１２０】
次に、ステップＳ７０４において、ＣＰＵ１０１は、記憶部１１０のワーク領域に記憶されるズームイン動作前のレンズ焦点距離となるように、画像入力部１０６内のレンズを移動させるようにズームレンズ部１０５に指示を出すように制御し、処理を終了する。
【０１２１】
以上説明したように、撮影用シャッタボタン１０９により撮影が指示されるまでズームインさせることなく撮影者の所望の倍率で、実際の撮影範囲の外の広い範囲において、動きのある遠距離にある被写体を容易に確認して追跡可能とするとともに、撮影用シャッタボタン１０９による撮影指示に連動させて、撮影者が予め設定しておいた所望のズーム倍率（絶対値）に、画像入力部１０６を光学的にズームアップさせて撮影することにより、熟練した撮影技術を有しない一般の撮影者であっても、動きのある遠距離にある被写体を光学的に拡大して優れた映像を容易に撮影（撮像）することができ、銀塩カメラ，デジタルカメラのいずれにも適用可能である。
【０１２２】
また、撮影用シャッタボタン１０９による撮影指示に連動させて、撮影者が予め設定しておいた所望のズーム倍率（絶対値）にズームインさせるため、撮影者の意図したタイミングで、意図した倍率にズームインして撮影することができ、ズームイン操作等に手間取る等により、シャッタチャンスを逃してしまうことを防止することができる。
【０１２３】
従って、被写体を捕らえるため、所望の倍率を確認するため等の無駄なズームアウト／ズームイン操作を防止し、撮影者の意識を被写体の追跡やシャッタ操作のみに集中させることができる。
【０１２４】
また、撮影終了と共に元の倍率までズームアウトする（ワイド側倍率まで戻す）ように制御するため、ズームイン撮影後に、被写体を見失ってしてしまい、次のシャッタチャンスを逃してしまう等の撮影ミスを抑えることができる。
【０１２５】
さらに、被写体を追っている間に、カメラの倍率を変更したとしても、撮影時には予め設定された所望のズーム倍率（絶対値）で撮影することができる。
【０１２６】
なお、上記各実施形態では、一例として、本発明の撮像装置をスチルカメラに適用する場合について説明したが、静止画を撮影可能な撮像装置であれば、スチルカメラの他、ビデオカメラ、その他の撮影機等であって本発明は適用可能である。
【０１２７】
以上説明したように、上記各実施形態では、望遠ズームレンズを使用する静止画を撮影するカメラにおいて、シャッタを押すと目標とするフレームに自動的にズームアップし撮影することができる。
【０１２８】
なお、上記各実施形態を合わせた構成も全て本発明に含まれるものである。
【０１２９】
また、上述の各種データの構成及びその内容はこれに限定されるものではなく、用途や目的に応じて、様々な構成や内容で構成されることは言うまでもない。
【０１３０】
以上、各実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１３１】
以下、図１６に示すメモリマップを参照して本発明に係る撮像装置で読み取り可能なデータ処理プログラムの構成について説明する。
【０１３２】
図１６は、本発明に係る撮像装置で読み取り（読み出し）可能な各種データ処理プログラムを格納する記録媒体（記憶媒体）のメモリマップを説明する図である。
【０１３３】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１３４】
さらに、各種プログラムに従属するデータも上記ディレクトリに管理されている。また、インストールするプログラムやデータが圧縮されている場合に、解凍するプログラム等も記憶される場合もある。
【０１３５】
本実施形態における図９，図１０，図１１，図１２，図１３，図１４，図１５，に示す機能が外部からインストールされるプログラムによって、撮像装置により遂行されていてもよい。そして、その場合、ＣＤ−ＲＯＭやフラッシュメモリやＦＤ等の記録媒体により、あるいはネットワークを介して外部の記録媒体から、プログラムを含む情報群が撮像装置に供給される場合でも本発明は適用されるものである。
【０１３６】
以上のように、前述した実施形態の機能を実現するソフトウェアのプログラムコードを記録した記録媒体を、撮像装置に供給し、その撮像装置のコンピュータ（またはＣＰＵやＭＰＵ）が記録媒体に格納されたプログラムコードを読出し実行することによっても、本発明の目的が達成されることは言うまでもない。
【０１３７】
この場合、記録媒体から読み出されたプログラムコード自体が本発明の新規な機能を実現することになり、そのプログラムコードを記憶した記録媒体は本発明を構成することになる。
【０１３８】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１３９】
また、撮像装置が読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４０】
さらに、記録媒体から読み出されたプログラムコードが、撮像装置に挿入された機能拡張ボードや撮像装置に接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４１】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１４２】
さらに、本発明を達成するためのソフトウェアによって表されるプログラムをネットワーク上のサーバ，データベース等から通信プログラムによりダウンロードして読み出すことによって、撮像装置が、本発明の効果を享受することが可能となる。
【図面の簡単な説明】
【０１４３】
【図１】本発明に係る第１実施形態の一例を示す撮像装置を適用可能なスチルカメラの内部構成の一例を示すブロック図である。
【図２】図１に示したスチルカメラの外観の一例を示す斜視図である。
【図３】図１に示したスチルカメラの概略構成の一例を示す断面図である。
【図４】図１に示したレンズズーム部による画像入力部の変倍動作とレンズ焦点距離の関係を説明する模式図である。
【図５】本発明の撮像装置おけるスポーツ望遠スチル撮影モードにおいて受像部に受像された撮影イメージと撮影前の被写体確認部にて確認可能なイメージを示す模式図である。
【図６】本発明の撮像装置おけるスポーツ望遠スチル撮影モードにおいて受像部に受像された撮影イメージと撮影前の被写体確認部にて確認可能なイメージを示す模式図である。
【図７】図１に示した記憶部のメモリマップの一例を示す模式図である。
【図８】図７に示した記憶部に設定された相対倍率値と撮影時のレンズ焦点距離の関係を示す図である。
【図９】本発明の撮像装置における第１の制御処理動作の一例を示すフローチャートである。
【図１０】本発明の撮像装置における第２の制御処理動作の一例を示すフローチャートである。
【図１１】本発明の撮像装置における第３の制御処理動作の一例を示すフローチャートである。
【図１２】本発明の撮像装置における第４の制御処理動作の一例を示すフローチャートである。
【図１３】本発明の撮像装置における第５の制御処理動作の一例を示すフローチャートである。
【図１４】本発明の撮像装置における第６の制御処理動作の一例を示すフローチャートである。
【図１５】本発明の撮像装置における第７の制御処理動作の一例を示すフローチャートである。
【図１６】本発明に係る撮像装置で読み取り（読み出し）可能な各種データ処理プログラムを格納する記録媒体（記憶媒体）のメモリマップを説明する図である。
【符号の説明】
【０１４４】
１０１    ＣＰＵ
１０２    受像部
１０３    モード入力用ボタン
１０４    被写体確認部
１０５    レンズズーム部
１０６    画像入力部
１０７    操作部
１０８    相対倍率入力用ダイヤル
１０９    撮影用シャッタボタン
１１０    記憶部
１１１    ＲＯＭ
【図１】
2006019852.tif 000003
【図２】
2006019852.tif 000004
【図３】
2006019852.tif 000005
【図４】
2006019852.tif 000006
【図５】
2006019852.tif 000007
【図６】
2006019852.tif 000008
【図７】
2006019852.tif 000009
【図８】
2006019852.tif 000010
【図９】
2006019852.tif 000011
【図１０】
2006019852.tif 000012
【図１１】
2006019852.tif 000013
【図１２】
2006019852.tif 000014
【図１３】
2006019852.tif 000015
【図１４】
2006019852.tif 000016
【図１５】
2006019852.tif 000017
【図１６】
2006019852.tif 000018